(57)【特許請求の範囲】
【請求項１】
物体側から順に、
第１レンズと、
像面側が非球面であり、光軸近傍で像面側凹形状かつ周辺部で像面側凸形状をなす第２レンズと、
第３レンズと、を備え、
前記第２レンズは下記の条件を満足することを特徴とする撮像レンズ。
０．３＜（ｒ２１＋ｒ２２）／（ｒ２１−ｒ２２）＜９０・・・（１）
但し、
ｒ２１：第２レンズの物体側の曲率半径
ｒ２２：第２レンズの像面側の曲率半径
【請求項２】
前記第１レンズは、物体側に凸面を向けたメニスカスレンズであることを特徴とする請求項１に記載の撮像レンズ。
【請求項３】
前記第３レンズは、像面側が非球面であり、光軸近傍で像面側凹形状かつ周辺部で像面側凸形状をなすことを特徴とする請求項１又は請求項２に記載の撮像レンズ。
【請求項４】
前記第１レンズの物体側に開口絞りを備えることを特徴とする請求項１〜３の何れか１項に記載の撮像レンズ。
【請求項５】
請求項１〜４の何れか１項に記載の撮像レンズと、
前記撮像レンズを介して入射される光を撮像する固体撮像素子と、を備えることを特徴とする撮像装置。
【発明の詳細な説明】
【技術分野】
【０００１】
本発明は小型の撮影レンズ系に関するものであり、更に詳しくはデジタル入力機器（デジタルスチルカメラ，デジタルビデオカメラ等）に適した、高性能でコンパクトな固体撮像素子用の撮像レンズ及び撮像装置に関するものである。
【背景技術】
【０００２】
近年、パーソナルコンピュータ等の普及に伴い、手軽に画像情報をデジタル機器に取り込むことができるデジタルスチルカメラやデジタルビデオカメラ等（以下単に「デジタルカメラ」という。）が、個人ユーザーレベルで普及しつつある。このようなデジタルカメラは、今後も画像情報の入力機器として益々普及することが予想される。【０００３】
また、デジタルカメラに搭載されるＣＣＤ（Ｃｈａｒｇｅ  Ｃｏｕｐｌｅｄ  Ｄｅｖｉｃｅ）等の固体撮像素子の小型化が進展してきており、それに伴ってデジタルカメラにも一層の小型化が求められている。このため、デジタル入力機器において最大の容積を占める撮影レンズ系にも、コンパクト化が強く要望されている。撮像レンズを小型化するには固体撮像素子のサイズを小さくするのが最も容易な方法ではあるがそのためには受光素子のサイズを小さくする必要があり固体撮像素子の製造難易度が上がるとともに撮像レンズに要求される性能も高くなる。【０００４】
一方、固体撮像素子のサイズをそのままに撮像レンズのサイズを小さくすると必然的に射出瞳位置が近くなる。射出瞳位置が近くなると撮影レンズから射出された軸外光束が像面に対して斜めに入射し、マイクロレンズの集光性能が十分に発揮されず、画像の明るさが画像中央部と画像周辺部とで極端に変化するという問題が生じることになる。この問題を解決するために撮影レンズの射出瞳位置を遠くにしようとすると、どうしても撮影レンズ全体の大型化が避けられなくなる。さらに近年の低価格化競争のため、撮影レンズにも低コスト化の要望が強くなってきている。また近年の固体撮像素子の高密度化により撮像レンズに要求される性能もより高いものになってきている。【０００５】
以上のような要望に対し、固体撮像素子用レンズでコンパクトな３枚構成のものが考えられている（例えば、特許文献１参照）。
【特許文献１】特開２００４−３０９６９５号公報
【発明の開示】
【発明が解決しようとする課題】
【０００６】
しかし、上記従来のレンズは、コンパクトではあるが射出瞳位置が近く固体撮像素子用レンズとしては適していない。【０００７】
本発明は、上記のような状況に鑑みてなされたものであって、光学性能が良好で低コストでコンパクトな固体撮像素子用の撮像レンズを提供することを目的とする。
【課題を解決するための手段】
【０００８】
上記課題を解決するために、請求項１に記載の撮像レンズは、物体側から順に、第１レンズと、像面側が非球面であり、光軸近傍で像面側凹形状かつ周辺部で像面側凸形状をなす第２レンズと、第３レンズと、を備え、
前記第２レンズは下記の条件を満足することを特徴とする。
０．３＜（ｒ２１＋ｒ２２）／（ｒ２１−ｒ２２）＜９０・・・（１）
但し、
ｒ２１：第２レンズの物体側の曲率半径
ｒ２２：第２レンズの像面側の曲率半径
【０００９】
請求項２に記載の発明は、請求項１に記載の撮像レンズにおいて、前記第１レンズは、物体側に凸面を向けたメニスカスレンズであることを特徴とする。
【００１０】
請求項３に記載の発明は、請求項１又は請求項２に記載の撮像レンズにおいて、前記第３レンズは、像面側が非球面であり、光軸近傍で像面側凹形状かつ周辺部で像面側凸形状をなすことを特徴とする。
【００１１】
請求項４に記載の発明は、請求項１〜３の何れか１項に記載の撮像レンズにおいて、前記第１レンズの物体側に開口絞りを備えることを特徴とする。
【００１３】
請求項５に記載の発明の撮像装置は、請求項１〜４の何れか１項に記載の撮像レンズと、前記撮像レンズを介して入射される光を撮像する固体撮像素子と、を備えることを特徴とする。
【発明の効果】
【００１４】
本発明によれば、固体撮像素子用の撮像レンズを光学性能が良好で低コスト且つコンパクトにすることができる。また、この撮像レンズをデジタルカメラ等の撮像装置に適用して、当該撮像装置の高機能化と低コスト化とコンパクト化に寄与することができる。
【図面の簡単な説明】
【００１５】
【図１】本発明に係る実施の形態のデジタルスチルカメラ１００の内部構成を示すブロック図である。
【図２】光学系１０１に含まれる撮像レンズ１の構成を示す図である。
【図３】（ａ）は、実施例１の撮像レンズ１の球面収差を示す図である。（ｂ）は、同じく非点収差を示す図である。（ｃ）は、同じく歪曲収差を示す図である。
【図４】（ａ）は、実施例２の撮像レンズ１の球面収差を示す図である。（ｂ）は、同じく非点収差を示す図である。（ｃ）は、同じく歪曲収差を示す図である。
【図５】携帯電話機２００の内部構成を示すブロック図である。
【符号の説明】
【００１６】
Ｏ１  光軸
１００  デジタルスチルカメラ
１０１  光学系
１  撮像レンズ
１０  第１レンズ
２０  第２レンズ
３０  第３レンズ
Ｄ１  開口絞り
ＧＦ  ガラスフィルタ
１０２  固体撮像素子
１０３  Ａ／Ｄ変換部
１０４  制御部
１０５  光学系駆動部
１０６  タイミング発生部
１０７  撮像素子駆動部
１０８  画像メモリ
１０９  画像処理部
１１０  画像圧縮部
１１１  画像記録部
１１２  表示部
１１３  操作部
２００  携帯電話機
２１０  制御部
２２０  操作部
２３０  表示部
２４０  無線通信部
２４１  アンテナ
２５０  撮像ユニット
２６０  記憶部
２７０  一時記憶部
【発明を実施するための最良の形態】
【００１７】
以下、添付図を参照して本発明に係る実施の形態を詳細に説明する。ただし、発明の範囲は、説明する例に限定されるものではない。なお、本明細書において「パワー」とは、焦点距離の逆数で定義される量を表す。【００１８】
図１及び図２を参照して、本実施の形態の装置構成を説明する。図１に、本実施の形態のデジタルスチルカメラ１００の内部構成を示す。【００１９】
図１に示すように、撮像装置としてのデジタルスチルカメラ１００は、光学系１０１と、固体撮像素子１０２と、Ａ／Ｄ変換部１０３と、制御部１０４と、光学系駆動部１０５と、タイミング発生部１０６と、撮像素子駆動部１０７と、画像メモリ１０８と、画像処理部１０９と、画像圧縮部１１０と、画像記録部１１１と、表示部１１２と、操作部１１３と、を備えて構成される。【００２０】
光学系１０１は、後述する撮像レンズ１を含む光学系であり、被写体からの光が入射される。固体撮像素子１０２は、ＣＣＤやＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）等の撮像素子であり、入射光をＲ，Ｇ，Ｂ毎に光電変換してそのアナログ信号を出力する。Ａ／Ｄ変換部１０３は、アナログ信号をデジタルデータに変換する。【００２１】
制御部１０４は、デジタルスチルカメラ１００の各部を制御する。制御部１０４は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）を含み、ＲＯＭから読み出されてＲＡＭに展開された各種プログラムと、ＣＰＵとの協働で各種処理を実行する。【００２２】
光学系駆動部１０５は、制御部１０４の制御により、変倍、合焦、露出等において、光学系１０１を駆動制御する。タイミング発生部１０６は、アナログ信号出力用のタイミング信号を出力する。撮像素子駆動部１０７は、固体撮像素子１０２を走査駆動制御する。【００２３】
画像メモリ１０８は、画像データを読み出し及び書き込み可能に記憶する。画像処理部１０９は、画像データに各種画像処理を施す。画像圧縮部１１０は、ＪＰＥＧ（Ｊｏｉｎｔ  Ｐｈｏｔｏｇｒａｐｈｉｃ  Ｅｘｐｅｒｔｓ  Ｇｒｏｕｐ）等の圧縮方式により、撮像画像データを圧縮する。画像記録部１１１は、図示しないスロットにセットされた、ＳＤ（Ｓｅｃｕｒｅ  Ｄｉｇｉｔａｌ）メモリカード、メモリスティック、ｘＤピクチャカード等の記録メディアに画像データを記録する。【００２４】
表示部１１２は、カラー液晶パネル等であり、撮影した画像、撮影前のスルー画像、各種操作画面等を表示する。操作部１１３は、レリーズボタン、各種モード、各種数値等を設定するための各種操作キーを含み、ユーザにより操作入力された情報を制御部１０４に出力する。【００２５】
ここで、デジタルスチルカメラ１００における動作を説明する。被写体撮影では、被写体のモニタリング（スルー画像表示）と、画像撮影実行とが行われる。モニタリングにおいては、光学系１０１を介して得られた被写体の像が、固体撮像素子１０２の受光面に結像される。光学系１０１の撮影光軸後方に配置された固体撮像素子１０２が、タイミング発生部１０６、撮像素子駆動部１０７によって走査駆動され、一定周期毎に結像した光像に対応する光電変換出力としてのアナログ信号を１画面分出力する。【００２６】
このアナログ信号は、ＲＧＢの各原色成分毎に適宜ゲイン調整された後に、Ａ／Ｄ変換部１０３でデジタルデータに変換される。そのデジタルデータは、画像処理部１０９により、画素補間処理及びγ補正処理を含むカラープロセス処理が行なわれて、デジタル値の輝度信号Ｙ及び色差信号Ｃｂ，Ｃｒ（画像データ）が生成されて画像メモリ１０８に格納され、定期的にその信号が読み出されてそのビデオ信号が生成されて、表示部１１２に出力される。【００２７】
この表示部１１２は、モニタリングにおいては電子ファインダとして機能し、撮像画像をリアルタイムに表示することとなる。この状態で、随時、ユーザの操作部１１３を介する操作入力に基づいて、光学系１０１の変倍、合焦、露出等が設定される。【００２８】
このようなモニタリング状態において、静止画撮影を行ないたいタイミングで、ユーザが操作部１１３のレリーズボタンを押下することにより、静止画像データが撮影される。レリーズボタンの押下のタイミングで、画像メモリ１０８に格納された１コマの画像データが読み出されて、画像圧縮部１１０により圧縮される。その圧縮された画像データが、画像記録部１１１により記録メディアに記録される。【００２９】
図２に、光学系１０１に含まれる撮像レンズ１の構成を示す。撮像レンズ１は、物体側（被写体側）から像面側へ光軸Ｏ１に沿って順に、開口絞りＤ１と、物体側に凸面を向けた正（正のパワーの）メニスカスレンズの第１レンズ１０と、像面側に凹面を向けた負（負のパワーの）メニスカスレンズの第２レンズ２０と、像面側に凹面を向けた負メニスカスレンズの第３レンズ３０と、ガラスフィルタＧＦと、から成り、ガラスフィルタＧＦの後方に不図示の固体撮像素子１０２が配置される。なお、ガラスフィルタＧＦに代えてあるいは加えて、ローパスフィルタや、赤外線カットフィルタを備える構成としてもよい。【００３０】
開口絞りＤ１は、面Ｓ１を有する。第１レンズ１０は、物体側から像面側へ光軸Ｏ１に沿って順に、面Ｓ２，Ｓ３を有する。第２レンズ２０は、物体側から像面側へ光軸Ｏ１に沿って順に、面Ｓ４，Ｓ５を有する。第３レンズ３０は、物体側から像面側へ光軸Ｏ１に沿って順に、面Ｓ６，Ｓ７を有する。ガラスフィルタＧＦは、物体側から像面側へ光軸Ｏ１に沿って順に、面Ｓ８，Ｓ９を有する。【００３１】
次に、本実施の形態の撮像レンズ１が満足すべき条件式範囲を説明する。なお、本実施の形態の撮像レンズ１は、以下に示す各条件式範囲をすべて、同時に満足する必要はなく、個々の条件式範囲をそれぞれ単独に満足することによって対応する作用効果を達成することが可能である。もちろん、複数の条件式範囲を満足している方が光学性能、小型化あるいは組立の観点からより望ましいことはいうまでもない。【００３２】
先ず、撮像レンズ１の第２レンズ２０は、次の条件式（１）を満足する。
０．３＜（ｒ２１＋ｒ２２）／（ｒ２１−ｒ２２）＜９０  …（１）
但し、
ｒ２１：第２レンズ２０の物体側の曲率半径、
ｒ２２：第２レンズ２０の像面側の曲率半径、
である。【００３３】
条件式（１）の下限を下回ると、コマ収差が悪化し、更にペッツバール和が補正過剰になり、解像度が不足する。条件式（１）の上限を越えると、ペッツバール和が補正不足となり、像面湾曲を補正することが困難となる。【００３４】
第２レンズ２０は、次の条件式（１Ａ）を満足することが望ましく、条件式（１Ｂ）を満足すると更に望ましい。
１＜（ｒ２１＋ｒ２２）／（ｒ２１−ｒ２２）＜３  …（１Ａ）
１．３＜（ｒ２１＋ｒ２２）／（ｒ２１−ｒ２２）＜２．５  …（１Ｂ）
撮像レンズ１は、次の条件式（２）を満足する。
−０．６＜ｆ／ｆ２＜−０．０５  …（２）
但し、
ｆ：撮像レンズ１全系の焦点距離、
ｆ２：第２レンズ２０の焦点距離、
である。【００３５】
条件式（２）の下限を下回ると、コマ収差が悪化し、更にペッツバール和が補正過剰になり、解像度が不足する。条件式範囲（２）の上限を越えると、ペッツバール和が補正不足となり、像面湾曲を補正することが困難となる。【００３６】
撮像レンズ１は、次の条件式（２Ａ）を満足することが望ましく、条件式（２Ｂ）を満足すると更に望ましい。
−０．４＜ｆ／ｆ２＜−０．１  …（２Ａ）
−０．３＜ｆ／ｆ２＜−０．１３  …（２Ｂ）
撮像レンズ１は、次の条件式（３）を満足する。
０．０５＜ｆ／ｆ３＜０．６  …（３）
但し、
ｆ：撮像レンズ１全系の焦点距離、
ｆ３：第３レンズ３０の焦点距離、
である。【００３７】
条件式（３）の下限を下回ると、コマ収差が悪化し、更にペッツバール和が補正過剰になり、解像度が不足する。条件式（３）の上限を越えると、ペッツバール和が補正不足となり、像面湾曲を補正することが困難となる。【００３８】
撮像レンズ１は、次の条件式（３Ａ）を満足することが望ましく、条件式（３Ｂ）を満足すると更に望ましい。【００３９】
０．１＜ｆ／ｆ３＜０．４・・・（３Ａ）
０．１２＜ｆ／ｆ３＜０．３・・・（３Ｂ）
撮像レンズ１は、次の条件式（４）を満足する。
０．０５＜ｆ／ｆ１＜１．６  …（４）
但し、
ｆ：撮像レンズ１全系の焦点距離、
ｆ１：第１レンズ１０の焦点距離、
である。【００４０】
条件式（４）の下限を下回ると、コマ収差が悪化し、更にペッツバール和が補正過剰になり、解像度が不足する。条件式（４）の上限を越えると、ペッツバール和が補正不足となり、像面湾曲を補正することが困難となる。【００４１】
撮像レンズ１は、次条件式（４Ａ）を満足することが望ましく、条件式（４Ｂ）を満足すると更に望ましい。
０．５＜ｆ／ｆ１＜１．２  …（４Ａ）
０．８＜ｆ／ｆ１＜１．０  …（４Ｂ）
撮像レンズ１の第２レンズ２０は、像面側が非球面であり、光軸Ｏ１近傍で像面側凹形状かつ周辺部で像面側凸形状の非球面であることが望ましい。これは光軸Ｏ１近傍の凹面で光学全長を小型化にしつつ、周辺部の凸面で射出瞳位置を遠くにする効果がある。【００４２】
また、撮像レンズ１の第３レンズ３０も第２レンズ２０と同様、像面側が非球面であり、光軸Ｏ１近傍で像面側凹形状かつ周辺部で像面側凸形状の非球面であることが望ましい。これは光軸Ｏ１近傍の凹面で光学全長を小型化にしつつ、周辺部の凸面で射出瞳位置を遠くにする効果がある。【００４３】
また、撮像レンズ１は、本実施の形態のように、第１レンズ１０の物体側に、開口絞りＤ１が設けられていることが望ましい。これは光学全長を小型化しても射出瞳位置を遠くにすることに効果がある。【００４４】
以上、本実施の形態によれば、第２レンズ２０が条件式（１）（好ましくは条件式（１Ａ），（１Ｂ））を満足する。これにより、コマ収差の悪化を防ぎ、ペッツバール和を適切にして解像度の不足を防ぎ、像面湾曲を容易に補正できる。【００４５】
また、第１レンズ１０を物体側に凸面を向けたメニスカスレンズにする。これにより、主点位置を光学系の前方へ位置することができ、光学全長を小型にするとともに球面収差と像面湾曲を容易に補正できる。【００４６】
また、撮像レンズ１が条件式（２）（好ましくは条件式（２Ａ），（２Ｂ））を満足する。これにより、コマ収差の悪化を防ぎ、ペッツバール和を適切にして解像度の不足を防ぎ、像面湾曲を容易に補正できる。【００４７】
また、撮像レンズ１が条件式（３）（好ましくは条件式（３Ａ），（３Ｂ））を満足する。これにより、コマ収差の悪化を防ぎ、ペッツバール和を適切にして解像度の不足を防ぎ、像面湾曲を容易に補正できる。【００４８】
また、撮像レンズ１が条件式（４）（好ましくは条件式（４Ａ），（４Ｂ））を満足する。これにより、コマ収差の悪化を防ぎ、ペッツバール和を適切にして解像度の不足を防ぎ、像面湾曲を容易に補正できる。【００４９】
また、第２レンズ２０は、像面側が非球面であり、光軸Ｏ１近傍で像面側凹形状かつ周辺部で像面側凸形状の非球面である。これにより、第２レンズ２０の光軸Ｏ１近傍の凹面で光学全長を小型化にしつつ、同じく周辺部の凸面で射出瞳位置を遠くにできる。【００５０】
また、第３レンズ３０は、像面側が非球面であり、光軸Ｏ１近傍で像面側凹形状かつ周辺部で像面側凸形状の非球面である。これにより、第３レンズ３０の光軸Ｏ１近傍の凹面で光学全長を小型化にしつつ、同じく周辺部の凸面で射出瞳位置を遠くにできる。【００５１】
また、撮像レンズ１は、第１レンズ１０の物体側に、開口絞りＤ１が設けられる。これにより、光学全長を小型化しても射出瞳位置を遠くにすることができる。【００５２】
これらにより、固体撮像素子１０２用の撮像レンズ１を光学性能が良好で低コスト且つコンパクトにすることができる。また、撮像レンズ１をデジタルスチルカメラ１００に適用して、デジタルスチルカメラ１００の高機能化と低コスト化とコンパクト化に寄与することができる。
【実施例１】
【００５３】
上記実施の形態に係る具体的な実施例１を説明する。本実施例の撮像レンズ１は、次の表１を満たす。【００５４】
【表１】
0004735715.tif 000002
【００５５】
上記表１（ａ）において、ｉ（ｉ＝１，２，３…）は物体側から数えた面Ｓｉの番号である。ｒｉは光学素子の面Ｓｉ（ｉ：番号）における曲率半径である。ｄｉは軸上面（Ｓｉ）間隔［ｍｍ］（光軸Ｏ１上の光学素子の厚さ又はそのｇａｐ長）である。また、ｊ（ｊ＝１，２，３，４）は物体側から数えた第ｊレンズの番号であり、ガラスフィルタＧＦをｊ＝４とする。Ｎｊ：ｊ番目の光学素子の屈折率、νｊ：ｊ番目の光学素子のアッベ数、である。なお、実施例中のデータに付された文字Ｅは、該当する数値の指数部分を表し、例えば、１．０Ｅ−２であれば、１．０×１０−２を示すものとする。【００５６】
また、本実施例の撮像レンズ１での全焦点距離ｆ＝３．５２［ｍｍ］であり、ＦナンバーＦＮＯ＝４．０であり、全軸上面間隔Σｄ＝３．５８０［ｍｍ］である。【００５７】
また、上記表１（ｂ）に示すように、第２面Ｓ２、第３面Ｓ３、第４面Ｓ４、第５面Ｓ５、第６面Ｓ６、第７面Ｓ７は、非球面形状の屈折光学面あるいは非球面と等価な屈折作用を有する面であることを示す。各非球面の面形状を次式（５）で定義するものとする。【００５８】
【数１】
0004735715.tif 000003
【００５９】
ただし、
Ｈ：光軸に対して垂直な方向の高さ、
Ｘ（Ｈ）：高さＨの位置での光軸方向の変位量（面頂点基準）、
Ｃ：近軸曲率、
ε：２次曲面パラメータ、
Ａｋ：ｋ次の非球面係数、
である。表１（ｂ）に記載以外の非球面係数Ａｋは０である。【００６０】
上記表１（ｃ）に、上記条件式（１）〜（４）で規定されるパラメータの値を示す。表１（ｃ）に示すように、各パラメータの値は、条件式（１Ｂ）、（２Ｂ）、（３Ｂ）、（４Ｂ）を満足する。【００６１】
図３に、本実施例の撮像レンズ１の収差を示す。図３（ａ）に、本実施例１の撮像レンズ１の球面収差を示す。図３（ｂ）に、同じく非点収差を示す。図３（ｃ）に、同じく歪曲収差を示す。【００６２】
図３（ａ）の球面収差図において、実線ｄはｄ線、一点鎖線ｇはｇ線、二点鎖線ｃはｃ線それぞれに対する球面収差量、ＳＣは正弦条件不満足量、をそれぞれ表す。また、図３（ｂ）の非点収差図において、実線ＤＳはサジタル面、点線ＤＭはメリディオナル面、をそれぞれ表す。また、図３（ａ）の球面収差図の縦軸は光線のＦナンバーを表す。図３（ｂ）の非点収差図及び図３（ｃ）の歪曲収差図の縦軸は像高を表し、最大像高はＹ＋＝２．２である。【００６３】
図３（ａ）〜（ｃ）に示すように、本実施例の撮像レンズ１によれば、球面収差、非点収差及び歪曲収差を良好に補正できる。
【実施例２】
【００６４】
上記実施の形態に係る具体的な実施例２を説明する。本実施例の撮像レンズ１は、次の表２を満たす。【００６５】
【表２】
0004735715.tif 000004
【００６６】
上記表２（ａ）〜（ｃ）の各記号は、上記表１の場合と同様である。また、本実施例の撮像レンズ１での全焦点距離ｆ＝３．５２［ｍｍ］であり、ＦナンバーＦＮＯ＝４．０であり、全軸上面間隔Σｄ＝３．６２０［ｍｍ］である。【００６７】
また、上記表２（ｂ）に示すように、第２面Ｓ２、第３面Ｓ３、第４面Ｓ４、第５面Ｓ５、第６面Ｓ６、第７面Ｓ７は、非球面形状の屈折光学面あるいは非球面と等価な屈折作用を有する面であることを示す。各非球面の面形状は上記式（５）で定義される。【００６８】
上記表２（ｃ）に、上記条件式（１）〜（４）で規定されるパラメータの値を示す。表２（ｃ）に示すように、各パラメータの値は、条件式（１Ｂ）、（２Ｂ）、（３Ｂ）、（４Ｂ）を満足する。【００６９】
図４に、本実施例の撮像レンズ１の収差を示す。図４（ａ）に、本実施例の撮像レンズ１の球面収差を示す。図４（ｂ）に、同じく非点収差を示す。図４（ｃ）に、同じく歪曲収差を示す。また、図４（ａ）の球面収差図の縦軸は光線のＦナンバーを表す。図４（ｂ）の非点収差図及び図４（ｃ）の歪曲収差図の縦軸は像高を表し、最大像高はＹ＋＝２．２である。【００７０】
図４（ａ）〜（ｃ）の各記号は、図３（ａ）〜（ｃ）の各記号と同様である。図４（ａ）〜（ｃ）に示すように、本実施例の撮像レンズ１によれば、球面収差、非点収差及び歪曲収差を良好に補正できる。【００７１】
なお、上記実施の形態及び各実施例における記述は、本発明に係る好適な撮像レンズ及び撮像装置の一例であり、これに限定されるものではない。【００７２】
例えば、上記実施の形態及び各実施例において、撮像レンズを搭載した撮像装置として、デジタルスチルカメラの例を説明したがこれに限定されるものではなく、ビデオカメラや、撮像機能付の携帯電話機、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）等の少なくとも撮像機能を有する携帯端末等の機器としてもよい。【００７３】
また、撮像レンズを搭載した撮像装置を、上記機器に搭載される撮像ユニットとしてもよい。ここで、図５を参照して、撮像装置としての撮像ユニット２５０を搭載した携帯電話機２００の例を説明する。図５に、携帯電話機２００の内部構成を示す。【００７４】
図５に示すように、携帯電話機２００は、各部を統括的に制御すると共に各処理に応じたプログラムを実行する制御部（ＣＰＵ）２１０と、番号等をキーにより操作入力するための操作部２２０と、所定のデータの他に撮像した映像等を表示する表示部２３０と、アンテナ２４１を介して外部サーバ等との間の各種情報通信を実現するための無線通信部２４０と、撮像装置としての撮像ユニット２５０と、携帯電話機２００のシステムプログラムや各種処理プログラム及び端末ＩＤ等の必要な諸データを記憶している記憶部（ＲＯＭ）２６０と、制御部２１０によって実行される各種処理プログラムやデータ、若しくは処理データ、或いは撮像ユニット２５０により撮像データ等を一時的に格納する作業領域として用いられる一時記憶部（ＲＡＭ）２７０とを備えている。【００７５】
撮像ユニット２５０は、撮像レンズ１と、（固体）撮像素子と、鏡筒と、撮像レンズ１の駆動機構等と、により構成され、撮像ユニット２５０自体は、制御部や画像処理部を有せず、コネクタ等により制御部、操作部、表示部等に結合されることを前提としたレンズユニットとする。具体的には、撮像ユニット２５０は、例えば、撮像光学系における筐体の物体側端面が携帯電話機２００の背面（表示部２３０のメイン表示部を正面とする）に設けられ、メイン表示部の下方に相当する位置に配設される。また、撮像ユニット２５０の外部接続端子は、携帯電話機２００の制御部２１０と接続され、輝度信号や色差信号等の画像信号を制御部２１０側に出力する。また、撮像ユニット２５０から入力された画像信号は、携帯電話機２００の制御系により、記憶部２６０に記憶されたり、或いは表示部２３０で表示され、さらには、無線通信部２４０を介して映像情報として外部に送信される。【００７６】
また、撮像レンズを搭載した撮像装置としての撮像ユニットは、上記レンズユニットと、基板上に配置された制御部及び画像処理部等と、を有し、コネクタ等により表示部及び操作部等を有する別体に結合され用いられることを前提とするカメラモジュールとして構成してもよい。
【図３】
0004735715.tif 000005
【図４】
0004735715.tif 000006
【図１】
0004735715.tif 000007
【図２】
0004735715.tif 000008
【図５】
0004735715.tif 000009